【手続補正書】
【提出日】平成29年5月8日(2017.5.8)
【手続補正１】
【補正対象書類名】特許請求の範囲
【補正対象項目名】全文
【補正方法】変更
【補正の内容】
【特許請求の範囲】
【請求項１】
複数の活性化ポリマー骨格を含む、疎水性の粘性プレポリマーであって、前記ポリマー骨格における活性化された官能基の百分率が、１％超、好ましくは５％、より好ましくは１０％、より好ましくは２５％、最も好ましくは４０％であり、前記プレポリマーの架橋が体液によって開始されない、プレポリマー。
【請求項２】
アクリレート基により活性化される、請求項１に記載のプレポリマー。
【請求項３】
活性化の程度が約０．２から約０．９、好ましくは約０．３から約０．８、より好ましくは約０．４から約０．６、最も好ましくは約０．５である、請求項１または２に記載のプレポリマー。
【請求項４】
前記プレポリマーの分子量が、約３，０００ダルトンから約１０，０００ダルトンである、請求項１から３のいずれか一項に記載のプレポリマー。
【請求項５】
前記プレポリマーの粘度が、０．５から約１００Ｐａ・ｓ、好ましくは約１．０から約５０Ｐａ・ｓ、より好ましくは約２．０から約４０Ｐａ・ｓ、最も好ましくは約２．５から約２５Ｐａ．ｓである、請求項１から４のいずれか一項に記載のプレポリマー。
【請求項６】
前記ポリマーが、式（−Ａ−Ｂ−）ｎを有するポリエステルであって、式中、
Ａが、架橋する前に１個またはアクリレート基を含む置換または非置換ポリオール部分に由来し、
Ｂが、置換または非置換二酸に由来し、
ｎが１超の整数を表す、請求項１から５のいずれか一項に記載のプレポリマー。
【請求項７】
Ａが、トリオール、テトラオールおよびより高価のポリオールからなる群から選択される、請求項６に記載のプレポリマー。
【請求項８】
Ａがトリオールである、請求項７に記載のプレポリマー。
【請求項９】
前記トリオールがグリセロールである、請求項８に記載のプレポリマー。
【請求項１０】
前記二酸が脂肪族二酸である、請求項６から９のいずれか一項に記載のプレポリマー。
【請求項１１】
前記二酸が、グルタル酸（炭素５個）、アジピン酸（炭素６個）、ピメリン酸（炭素７個）、スベリン酸（炭素８個）、アゼライン酸（炭素９個）、１０個超の炭素を有する二酸、１５個超の炭素を有する二酸、２０個超の炭素を有する二酸および２５個超の炭素原子を有する二酸からなる群から選択される、請求項１０に記載のプレポリマー。
【請求項１２】
前記二酸がセバシン酸である、請求項１１に記載のプレポリマー。
【請求項１３】
前記アクリレートが、
【化６】
2016526078.tif 000001
（式中、Ｒ１がメチルまたは水素を表す）
を含む、請求項１から１２のいずれか一項に記載のプレポリマー。
【請求項１４】
請求項１から１３のいずれか一項に記載のプレポリマーから調製される架橋ポリエステル。
【請求項１５】
湿った基材への接着が、非架橋ポリエステルより少なくとも１．５倍強い、請求項１４に記載の架橋ポリエステル。
【請求項１６】
前記湿った基材が組織である、請求項１５に記載の架橋ポリエステル。
【請求項１７】
前記ポリマーが架橋の際のみ湿った基材に接着し、湿接着性が０．２、０．３、０．４、０．５、０．６、０．７、０．８、０．９、１．０、１．１、１．２、１．３、１．４、１．５、１．６、１．７、１．８、１．９または２．０Ｎ／ｃｍ２超である、請求項１４から１６のいずれか一項に記載の架橋ポリエステル。
【請求項１８】
ビニル基の５０〜６０％未満が、重合された前記プレポリマーにおいて架橋する、請求項１４から１７のいずれか一項に記載の架橋ポリエステル。
【請求項１９】
弾性であり、最大圧縮ひずみが３０％を上回る、請求項１４から１８のいずれか一項に記載の架橋ポリエステル。
【請求項２０】
弾性であり、最大圧縮弾性率が０．５ＭＰａを上回る、請求項１４から１９のいずれか一項に記載の架橋ポリエステル。
【請求項２１】
血液の存在下で湿った基材に接着し、そこで血液と５分間にわたり接触しても、接着強度が実質的に変わらない、請求項１４から２０のいずれか一項に記載の架橋ポリエステル。
【請求項２２】
破裂圧力が１５０ｍｍＨｇを上回る、請求項１４から２１のいずれか一項に記載の架橋ポリエステル。
【請求項２３】
グルーが、少なくとも７日間、１４日間、２１日間、２８日間、１ヶ月間、２ヶ月間、３ヶ月間、４ヶ月間、５ヶ月間、６ヶ月間またはそれより長い期間にわたり動的基材に安定的に接着する、請求項１４から２２のいずれか一項に記載の架橋ポリエステル。
【請求項２４】
入射ＵＶ光の少なくとも５％、および好ましくは入射ＵＶ光の８０％超を透過する、請求項１４から２３のいずれか一項に記載の架橋ポリエステル。
【請求項２５】
活性化の百分率が１０％超である、請求項１４から２５のいずれか一項に記載の架橋ポリエステル。
【請求項２６】
生体適合性である、請求項１４から２６のいずれか一項に記載の架橋ポリエステル。
【請求項２７】
生分解性である、請求項１４から２７のいずれか一項に記載の架橋ポリエステル。
【請求項２８】
架橋密度が、少なくとも約１％、２％、３％、４％、５％、６％、７％、８％、９％、１０％、１２％、１５％、１８％、２０％、２２％、２５％、２８％、３０％、３２％、３５％、３８％、４０％またはそれ超である、請求項１４から２８のいずれか一項に記載の架橋ポリエステル。
【請求項２９】
請求項１から１３のいずれか一項に記載のプレポリマーを含む第１の容器、および光開始剤を含む第２の容器を含むキット。
【請求項３０】
請求項１から１３のいずれか一項に記載のプレポリマーを含むパッチ。
【請求項３１】
前記プレポリマーが前記パッチの表面にある、請求項３０に記載のパッチ。
【請求項３２】
光開始剤をさらに含む、請求項３０または３１に記載のパッチ。
【請求項３３】
前記光開始剤を活性化するために、放射の波長に対して透過性である、請求項３２に記載のパッチ。
【請求項３４】
組織を貼り付ける、またはシールするための、請求項１から１３のいずれか一項に記載のプレポリマーを含む組成物であって、前記組成物が前記組織の表面に適用され、そして、架橋されて硬化ポリマーが形成され、ここで、前記硬化ポリマーが、少なくとも約０．５Ｎ／ｃｍ２、好ましくは少なくとも約１Ｎ／ｃｍ２、より一層好ましくは少なくとも約２Ｎ／ｃｍ２の９０°のプルオフ接着強度を有することを特徴とする、組成物。
【請求項３５】
組織を医療デバイスの表面に接着させるための、請求項１から１３のいずれか一項に記載のプレポリマーを含む組成物であって、前記組成物が、前記組織および／または医療デバイスの表面に適用され、前記医療デバイスが前記組織に接触させられ、そして、前記組成物が架橋されて架橋ポリマーが形成され、ここで、前記医療デバイスが、少なくとも約０．５Ｎ／ｃｍ２、好ましくは少なくとも約１Ｎ／ｃｍ２、より一層好ましくは少なくとも約２Ｎ／ｃｍ２の９０°のプルオフ接着強度で前記組織に接着することを特徴とする、組成物。
【手続補正２】
【補正対象書類名】明細書
【補正対象項目名】０２０９
【補正方法】変更
【補正の内容】
【０２０９】
特に定義されていない限り、本明細書で使用されるすべての技術および科学用語は、当業者により一般的に理解されるものと同じ意味を有する。当業者は本明細書に記載されている本発明の特定の実施形態に対して、多くの等価物を使用することを認識するか、または、日常的に過ぎない実験を使用して、確かめることができるものとする。そのような等価物は、以下の特許請求の範囲に包含されることを意図する。
例えば、本発明は以下の項目を提供する。
（項目１）
複数の活性化ポリマー骨格を含む、疎水性の粘性プレポリマーであって、前記ポリマー骨格における活性化された官能基の百分率が、１％超、好ましくは５％、より好ましくは１０％、より好ましくは２５％、最も好ましくは４０％であり、前記プレポリマーの架橋が体液によって開始されない、プレポリマー。
（項目２）
アクリレート基により活性化される、項目１に記載のプレポリマー。
（項目３）
活性化の程度が約０．２から約０．９、好ましくは約０．３から約０．８、より好ましくは約０．４から約０．６、最も好ましくは約０．５である、項目１または２に記載のプレポリマー。
（項目４）
前記プレポリマーの分子量が、約３，０００ダルトンから約１０，０００ダルトンである、項目１から３のいずれか一項に記載のプレポリマー。
（項目５）
前記プレポリマーの粘度が、０．５から約１００Ｐａ・ｓ、好ましくは約１．０から約５０Ｐａ・ｓ、より好ましくは約２．０から約４０Ｐａ・ｓ、最も好ましくは約２．５から約２５Ｐａ．ｓである、項目１から４のいずれか一項に記載のプレポリマー。
（項目６）
前記ポリマーが、式（−Ａ−Ｂ−）ｎを有するポリエステルであって、式中、
Ａが、架橋する前に１個またはアクリレート基を含む置換または非置換ポリオール部分に由来し、
Ｂが、置換または非置換二酸に由来し、
ｎが１超の整数を表す、項目１から５のいずれか一項に記載のプレポリマー。
（項目７）
Ａが、トリオール、テトラオールおよびより高価のポリオールからなる群から選択される、項目６に記載のプレポリマー。
（項目８）
Ａがトリオールである、項目７に記載のプレポリマー。
（項目９）
前記トリオールがグリセロールである、項目８に記載のプレポリマー。
（項目１０）
前記二酸が脂肪族二酸である、項目６から９のいずれか一項に記載のプレポリマー。
（項目１１）
前記二酸が、グルタル酸（炭素５個）、アジピン酸（炭素６個）、ピメリン酸（炭素７個）、スベリン酸（炭素８個）、アゼライン酸（炭素９個）、１０個超の炭素を有する二酸、１５個超の炭素を有する二酸、２０個超の炭素を有する二酸および２５個超の炭素原子を有する二酸からなる群から選択される、項目１０に記載のプレポリマー。
（項目１２）
前記二酸がセバシン酸である、項目１１に記載のプレポリマー。
（項目１３）
前記アクリレートが、
【化６】
2016526078.tif 000002
（式中、Ｒ１がメチルまたは水素を表す）
を含む、項目１から１２のいずれか一項に記載のプレポリマー。
（項目１４）
項目１から１３のいずれか一項に記載のプレポリマーから調製される架橋ポリエステル。
（項目１５）
湿った基材への接着が、非架橋ポリエステルより少なくとも１．５倍強い、項目１４に記載の架橋ポリエステル。
（項目１６）
前記湿った基材が組織である、項目１５に記載の架橋ポリエステル。
（項目１７）
前記ポリマーが架橋の際のみ湿った基材に接着し、湿接着性が０．２、０．３、０．４、０．５、０．６、０．７、０．８、０．９、１．０、１．１、１．２、１．３、１．４、１．５、１．６、１．７、１．８、１．９または２．０Ｎ／ｃｍ２超である、項目１４から１６のいずれか一項に記載の架橋ポリエステル。
（項目１８）
ビニル基の５０〜６０％未満が、重合された前記プレポリマーにおいて架橋する、項目１４から１７のいずれか一項に記載の架橋ポリエステル。
（項目１９）
弾性であり、最大圧縮ひずみが３０％を上回る、項目１４から１８のいずれか一項に記載の架橋ポリエステル。
（項目２０）
弾性であり、最大圧縮弾性率が０．５ＭＰａを上回る、項目１４から１９のいずれか一項に記載の架橋ポリエステル。
（項目２１）
血液の存在下で湿った基材に接着し、そこで血液と５分間にわたり接触しても、接着強度が実質的に変わらない、項目１４から２０のいずれか一項に記載の架橋ポリエステル。
（項目２２）
破裂圧力が１５０ｍｍＨｇを上回る、項目１４から２１のいずれか一項に記載の架橋ポリエステル。
（項目２３）
グルーが、少なくとも７日間、１４日間、２１日間、２８日間、１ヶ月間、２ヶ月間、３ヶ月間、４ヶ月間、５ヶ月間、６ヶ月間またはそれより長い期間にわたり動的基材に安定的に接着する、項目１４から２２のいずれか一項に記載の架橋ポリエステル。
（項目２４）
入射ＵＶ光の少なくとも５％、および好ましくは入射ＵＶ光の８０％超を透過する、項目１４から２３のいずれか一項に記載の架橋ポリエステル。
（項目２５）
活性化の百分率が１０％超である、項目１４から２５のいずれか一項に記載の架橋ポリエステル。
（項目２６）
生体適合性である、項目１４から２６のいずれか一項に記載の架橋ポリエステル。
（項目２７）
生分解性である、項目１４から２７のいずれか一項に記載の架橋ポリエステル。
（項目２８）
架橋密度が、少なくとも約１％、２％、３％、４％、５％、６％、７％、８％、９％、１０％、１２％、１５％、１８％、２０％、２２％、２５％、２８％、３０％、３２％、３５％、３８％、４０％またはそれ超である、項目１４から２８のいずれか一項に記載の架橋ポリエステル。
（項目２９）
項目１から１３のいずれか一項に記載のプレポリマーを含む第１の容器、および光開始剤を含む第２の容器を含むキット。
（項目３０）
項目１から１３のいずれか一項に記載のプレポリマーを含むパッチ。
（項目３１）
前記プレポリマーが前記パッチの表面にある、項目３０に記載のパッチ。
（項目３２）
光開始剤をさらに含む、項目３０または３１に記載のパッチ。
（項目３３）
前記光開始剤を活性化するために、放射の波長に対して透過性である、項目３２に記載のパッチ。
（項目３４）
組織を貼り付ける、またはシールするための方法であって、項目１から１３のいずれか一項に記載のプレポリマーを前記組織の表面に適用するステップ、および前記プレポリマーを架橋させて硬化ポリマーを形成するステップを含み、前記硬化ポリマーが、少なくとも約０．５Ｎ／ｃｍ２、好ましくは少なくとも約１Ｎ／ｃｍ２、より一層好ましくは少なくとも約２Ｎ／ｃｍ２の９０°のプルオフ接着強度を有する、方法。
（項目３５）
組織を医療デバイスの表面に接着させる方法であって、項目１から１３のいずれか一項に記載のプレポリマーを前記組織および／または医療デバイスの表面に適用するステップ、前記医療デバイスに前記組織を接触させるステップ、ならびに前記プレポリマーを架橋させて架橋ポリマーを形成するステップを含み、前記医療デバイスが、少なくとも約０．５Ｎ／ｃｍ２、好ましくは少なくとも約１Ｎ／ｃｍ２、より一層好ましくは少なくとも約２Ｎ／ｃｍ２の９０°のプルオフ接着強度で前記組織に接着する、方法。